(57)【要約】【課題】本体枠と、該本体枠の前面に前方へ回動可能に軸支された開閉可能な前面枠を備える遊技機において、前面枠を開けて行う不正な行為をより好適に防止することである。【解決手段】前面枠１２０の水平方向の開閉状態を検出可能な水平方向検出スイッチ１１４と、前面枠１２０の垂直方向の状態を検出可能な垂直方向検出スイッチ１１５と、を備え、水平方向検出スイッチ１１４及び垂直方向検出スイッチ１１５による検出結果に基づき、前面枠１２０の開閉状態を検出する。【選択図】図４
2009112327.tif 000002
【特許請求の範囲】
【請求項１】
本体枠と、該本体枠の前面に前方へ回動可能に軸支され開閉可能な前面枠を備える遊技機において、
前記前面枠の水平方向の開閉状態を検出可能な水平方向検出手段と、
前記前面枠の垂直方向の状態を検出可能な垂直方向検出手段と、
を備え、
前記水平方向検出手段及び前記垂直方向検出手段による検出結果に基づき、前記前面枠の開閉状態を検出することを特徴とする遊技機。
【請求項２】
前記前面枠は、
開放端側の裏面に該前面枠の開閉に連動して作動する係止部を備え、
前記本体枠は、
前記係止部に対応する被係止部を備え、
前記係止部が前記被係止部に係合することで前記前面枠の閉状態が維持されるように構成され、
前記被係止部は、
前記垂直方向検出手段を備え、
前記垂直方向検出手段は、前記被係止部に係合される前記係止部の垂直方向の位置状態を検出することにより、前記前面枠の垂直方向の状態を検出可能であることを特徴とする請求項１記載の遊技機。
【請求項３】
前記前面枠は、
複数の前記係止部を備え、
前記本体枠は、
複数の係止部に対応する複数の被係止部を備え、
複数の前記被係止部のうち、少なくとも一の被係止部は、前記垂直方向検出手段を備え、
前記垂直方向検出手段を備える被係止部を含む複数の被係止部を一体的に形成したことを特徴とする請求項２記載の遊技機。
【請求項４】
前記係止部は、該前面枠の開閉に連動して垂直方向に作動するように構成され、
前記垂直方向検出手段を備える被係止部に対応する前記前面枠の係止部が垂直方向に作動した場合に前記垂直方向検出手段を保護する垂直方向に立設した保護壁を備えたことを特徴とする請求項２又は請求項３に記載の遊技機。
【請求項５】
前記本体枠は、
少なくとも開放端側の側方部上部を、金属部材で構成し、
前記側方部上部の水平断面を略コ字状に形成するとともに、該側方部上部の端部を内側に曲げることで空間部を形成し、
前記空間部に前記垂直方向検出手段からの配線を通したことを特徴とする請求項１から４の何れか一項に記載の遊技機。
【請求項６】
前記水平方向検出手段及び前記垂直方向検出手段による検出結果の入力タイミングパターンが予め設定された所定のタイミングパターンと一致するか否かを判定する検出タイミング判定手段と、
前記検出タイミング判定手段により入力タイミングパターンが予め設定された所定のタイミングパターンと一致しないと判定された場合、エラー報知を行う報知制御手段と、
を備えることを特徴とする請求項１から５の何れか一項に記載の遊技機。
【発明の詳細な説明】
【技術分野】
【０００１】
本発明は、本体枠と、該本体枠の前面に前方へ回動可能に軸支された開閉可能な前面枠を備える遊技機に関する。
【背景技術】
【０００２】
従来、遊技機から遊技球を不正に払い出させるために、前面枠を開放して遊技機裏面側の裏機構盤裏面に備えられる遊技制御装置や払出装置などに対して不正行為が行われる場合があり、このような不正行為を防止するため、前面枠施錠フックが係止状態にあるとき、当該前面枠施錠フックを検出する前面枠開放スイッチを設け、当該前面枠解放スイッチにより、当該前面枠施錠フックが係止状態にあるか否かを検出することによって、本体枠に回動可能に軸支された前面枠が開放しているか否かを検出するパチンコ機が考えられている（例えば、特許文献１参照）。
【特許文献１】特開２０００−３３１６４号公報
【発明の開示】
【発明が解決しようとする課題】
【０００３】
しかしながら、前面枠の回動方向における開閉状態のみを検出するだけでは、例えば、前面枠を垂直方向に移動させ、前面枠と本体枠との隙間から針金等を入れること等による不正行為が行われた場合に、その状態を検出してエラー報知することができない。また、前面枠の回動方向における開閉状態のみを検出するような従来の方法では、前面枠が開放されていても、前面枠の開放を検出するスイッチを指等で押えておけば、前面枠の開放状態は検出されず、その間に遊技機裏面側の裏機構盤裏面に備えられる遊技制御装置や払出装置などに不正な行為が行われる可能性がある。
【０００４】
本発明の目的は、本体枠と、該本体枠の前面に前方へ回動可能に軸支された開閉可能な前面枠を備える遊技機において、前面枠を開けて行う不正な行為をより好適に防止することである。
【課題を解決するための手段】
【０００５】
以上の課題を解決するため、請求項１に記載の発明は、
本体枠と、該本体枠の前面に前方へ回動可能に軸支され開閉可能な前面枠を備える遊技機において、
前記前面枠の水平方向の開閉状態を検出可能な水平方向検出手段と、
前記前面枠の垂直方向の状態を検出可能な垂直方向検出手段と、
を備え、
前記水平方向検出手段及び前記垂直方向検出手段による検出結果に基づき、前記前面枠の開閉状態を検出することを特徴とする。
【０００６】
なお、「前面枠の垂直方向」とは、前面枠の水平面に対する垂直方向、すなわち前面枠の鉛直方向を意味する。
また、「前面枠の垂直方向の状態」とは、前面枠の垂直方向における位置状態を意味する。
【０００７】
請求項１に記載の発明によれば、前面枠の開閉状態を、前面枠の水平方向の開閉状態だけでなく、垂直方向の状態をも検出することができることとなり、例えば、前面枠を上方に持ち上げ、下側にできた前面枠と本体枠との隙間から針金のような部材を挿入し、前面枠裏面に備えられる排出装置などを操作して不当な出球を得るなどの不正を行おうとしても、当該垂直方向検出手段により、前面枠と本体枠との間に隙間が形成される状態を検出することができるので、例えば、当該隙間が出来た状態を報知すること等によって、前面枠を開けて行う不正な行為をより好適に防止することができる。
【０００８】
請求項２に記載の発明は、請求項１に記載の遊技機であって、
前記前面枠は、
開放端側の裏面に該前面枠の開閉に連動して作動する係止部を備え、
前記本体枠は、
前記係止部に対応する被係止部を備え、
前記係止部が前記被係止部に係合することで前記前面枠の閉状態が維持されるように構成され、
前記被係止部は、
前記垂直方向検出手段を備え、
前記垂直方向検出手段は、前記被係止部に係合される前記係止部の垂直方向の位置状態を検出することにより、前記前面枠の垂直方向の状態を検出可能であることを特徴とする。
【０００９】
請求項２に記載の発明によれば、前面枠の開閉に連動して作動する係止部の垂直方向の位置状態を検出することで、前面枠の垂直方向の状態を検出することができるので、例えば、垂直方向の位置状態をロックするような操作を必要とせず、前面枠の開閉に合わせて自動的に前面枠の垂直方向の位置状態を検出することができる。
【００１０】
請求項３に記載の発明は、請求項２に記載の遊技機であって、
前記前面枠は、
複数の前記係止部を備え、
前記本体枠は、
複数の係止部に対応する複数の被係止部を備え、
複数の前記被係止部のうち、少なくとも一の被係止部は、前記垂直方向検出手段を備え、
前記垂直方向検出手段を備える被係止部を含む複数の被係止部を一体的に形成したことを特徴とする。
【００１１】
請求項３に記載の発明によれば、垂直方向検出手段を備える被係止部を含む複数の被係止部を一体的に形成することで、組み付け等による被係止部間の誤差が無く、一方だけ係止され、他方が係止されないという不都合を好適に防止することができる。
【００１２】
請求項４に記載の発明は、請求項２又は請求項３に記載の遊技機であって、
前記係止部は、該前面枠の開閉に連動して垂直方向に作動するように構成され、
前記垂直方向検出手段を備える被係止部に対応する前記前面枠の係止部が垂直方向に作動した場合に前記垂直方向検出手段を保護する垂直方向に立設した保護壁を備えたことを特徴とする。
【００１３】
請求項４に記載の発明によれば、垂直方向検出手段を保護する垂直方向に立設した保護壁を備えたので、前面枠の係止部が垂直方向に作動した場合に当該係止部が垂直方向検出手段を破損することを好適に防止することができる。
【００１４】
請求項５に記載の発明は、請求項１から４の何れか一項に記載の遊技機であって、
前記本体枠は、
少なくとも開放端側の側方部上部を、金属部材で構成し、
前記側方部上部の水平断面を略コ字状に形成するとともに、該側方部上部の端部を内側に曲げることで空間部を形成し、
前記空間部に前記垂直方向検出手段からの配線を通したことを特徴とする。
【００１５】
請求項５に記載の発明によれば、本体枠の金属部分の断面を略コ字状に形成し、端部を内側に曲げることにより形成した空間部に、本体枠側に垂直方向検出手段からの配線を通すことができ、当該配線を保護することができる。
【００１６】
請求項６に記載の発明は、請求項１から５の何れか一項に記載の遊技機であって、
前記水平方向検出手段及び前記垂直方向検出手段による検出結果の入力タイミングパターンが予め設定された所定のタイミングパターンと一致するか否かを判定する検出タイミング判定手段と、
前記検出タイミング判定手段により入力タイミングパターンが予め設定された所定のタイミングパターンと一致しないと判定された場合、エラー報知を行う報知制御手段と、
を備えることを特徴とする。
【００１７】
請求項６に記載の発明によれば、水平方向検出手段及び垂直方向検出手段による検出結果の入力タイミングパターンが予め設定された所定のタイミングパターンと一致するか否かによって、正常な場合における前面枠の閉止状態を好適に検出することができる。また、水平方向検出手段及び垂直方向検出手段による検出結果の入力タイミングパターンが予め設定された所定のタイミングパターンと一致しない場合には、エラー報知を行うことによって、前面枠の開閉行為が不正か否かを確実に判断して報知することができる。
【発明の効果】
【００１８】
本発明によれば、前面枠の開閉状態を、前面枠の水平方向の開閉状態だけでなく、垂直方向の状態をも検出することができることとなり、例えば、前面枠を上方に持ち上げ、下側にできた前面枠と本体枠との隙間から針金のような部材を挿入し、前面枠裏面に備えられる排出装置などを操作して不当な出球を得るなどの不正を行おうとしても、当該垂直方向検出手段により、前面枠と本体枠との間に隙間が形成される状態を検出することができるので、例えば、当該隙間が出来た状態を報知すること等によって、前面枠を開けて行う不正な行為をより好適に防止することができる。
【発明を実施するための最良の形態】
【００１９】
以下、この発明の実施形態について図面を参照して説明する。
ここでは、本発明にかかる遊技機の適例としてのパチンコ遊技機について説明を行う。
【００２０】
図１，２に示すように、本実施形態の遊技機１００は、矩形枠状に構成された本体枠１１０を備え、本体枠１１０の前面側には、該本体枠１１０に対して前方向へ扉状に回動可能に矩形枠状の前面枠１２０が軸着されている。また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、クリア部材保持枠１４０の下側に取り付けられた発射操作を行うための発射操作ユニット１５０とを有する。
【００２１】
本体枠１１０は、図３に示すように、前面側から見て右側の右辺が金属製とされ、上辺及び左辺は木製で構成され、夫々の辺は互いに接合金具Ｆによって組み付けられている。これによって、前面側から見て右辺である側板部１１０ｂにおいては、強度を保ったまま厚みを薄くできるようになっている。また、この金属製の側板部１１０ｂの内周には、施錠装置１６０により前面枠１２０を本体枠１１０に対して回動できない状態に施錠するための被係止部１１１が設けられている。具体的には、被係止部１１１は、側板部１１０ｂの上側から順に、上被係止部１１１ａと、中被係止部１１１ｃと、下被係止部１１１ｂと、を備えている。そして、このような被係止部１１１を備えた本体枠１１０に、矩形枠状の前面枠１２０が、前面側から見て左側の側部が該本体枠１１０に対して前方向へ扉状に回動可能となるように軸着されている。
【００２２】
図４，５の本体枠１１０の部分拡大図に示すように、上被係止部１１１ａ及び中被係止部１１１ｃは、側板部１１０ｂに固定された取付ベース部材１１８に取り付けられた状態で一体的に本体枠１１０に取り付けられている。
【００２３】
図６（ａ），（ｂ）に示すように、取付ベース部材１１８は、柱体形状をなしており、側板部１１０ｂに対向する面と反対の面の上部には、上被係止部１１１ａを取り付けるための上被係止部材側係合突起１１８ａと、上被係止部１１１ａを取り付ける際のビス止め孔１１８ｂと、上被係止部１１１ａに備えられた係合片部１１１ａ３を係合させるための溝部１１８ｃを備え、また、側板部１１０ｂに対向する面には、本体枠１１０に係合させるための取付ベース部材側係合突起１１８ｄを備えている。
また、上被係止部１１１ａは、取付ベース部材１１８の上被係止部材側係合突起１１８ａと係合する係合孔及びビス止め孔を有する平板状のベース部１１１ａ１と、ベース部１１１ａ１の前側の側端から本体枠１１０の内方に垂設されたフック部１１１ａ２と、ベース部１１１ａ１の後側の側端から本体枠１１０の外方に突出して取付ベース部材１１８の溝部１１８ｃと係合する係合片部１１１ａ３を備えている。
また、中被係止部１１１ｃは、上端部の前端に傾斜面１１１ｄを備える柱体形状をなしており、傾斜面１１１ｄの後方に中係止部１８４ｂの垂直方向の位置状態を検出する垂直方向検出手段としての垂直方向検出スイッチ１１５を備えている。
垂直方向検出スイッチ１１５は、図５の部分拡大図に示すように、押しボタン式スイッチであり、中係止部１８４ｂが前面枠１２０の開閉に連動して作動した際、中係止部１８４ｂが垂直方向検出スイッチ１１５を押圧するか否かにより、前面枠１２０の垂直方向の状態を検出する。また、中被係止部１１１ｃには、垂直方向検出スイッチ１１５の押圧をガイドするとともに垂直方向検出スイッチ１１５を保護するための保護壁１１７が垂直方向検出スイッチ１１５の周囲に垂直方向に立設されている。
【００２４】
また、図３〜５に示すように、本体枠１１０は、側板部１１０ｂと連結部材１１２を介して連結された上板部１１０ａ内側面に、前面枠１２０の回動における位置状態を検出する水平方向検出手段としての水平方向検出スイッチ１１４を備えている。
水平方向検出スイッチ１１４は、図５の部分拡大図に示すように、垂直方向検出スイッチと同様に、押しボタン式スイッチであり、前面枠１２０が回動して本体枠１１０方向に押し込まれ、前面枠１２０の裏面上部が水平方向検出スイッチ１１４を押圧か否かにより、前面枠１２０の回動方向（水平方向）の開閉状態を検出する。また、本体枠１１０には、水平方向検出スイッチ１１４の押圧をガイドするとともに水平方向検出スイッチ１１４を保護するための垂直断面が略コ字状を形成する保護壁１１６が水平方向検出スイッチ１１４の周囲に立設されている。
【００２５】
また、本体枠１１０の側板部１１０ｂの水平断面は、例えば、図７に示すように、略コ字状に形成され、端部が内側に略９０度折り曲げられ更にその端部が内側に略９０度折り曲げられることにより、空間部１１９が形成されており、該空間部１１９に水平方向検出スイッチ１１４，垂直方向検出スイッチ１１５からの配線１１４ａ，１１５ａを通すことができるようになっている。
【００２６】
前面枠本体１３０は、図２に示すように、矩形枠状の本体枠１１０の前面側をちょうど覆うような概略矩形板状に構成され、裏面側から見た右側の側部が本体枠１１０に対して前方向へ扉状に回動可能となるように軸着されている。また、図８に示すように、このように軸着される前面枠本体１３０の開放端側となる裏面側から見た左側の側部には施錠装置１６０が設けられている。また、前面枠本体１３０の中央から上端部にわたる部分には、図示しない遊技盤を嵌め込んで収容するための方形状の開口部１３１が形成されている。そして、前面枠本体１３０に収容された遊技盤の前面が前面枠本体１３０の開口部１３１から前側に臨むようになっている。すなわち遊技盤は、前面枠本体１３０に嵌め込まれることで前面枠１２０に取り付けられている。
【００２７】
この前面枠本体１３０の遊技盤が嵌め込まれる開口部１３１、すなわち、前面枠本体１３０の中央より少し下側から上端部にわたる部分には、図２に示すように、前面枠本体１３０の前側を覆うようにクリア部材保持枠１４０が配置されている。そして、遊技盤の前面とクリア部材保持枠１４０に嵌め込まれたクリア部材としてのガラス板１４１との間であって、図示しない遊技盤の前面に設けられたガイドレールに囲まれた部分が、遊技球が発射されて流下する遊技領域とされ、この遊技領域内に遊技球（打球；遊技媒体）を発射して遊技を行うようになっている。すなわち、クリア部材保持枠１４０において、遊技機１００の前側からガラス板１４１を介して遊技盤の前面側の少なくとも遊技領域の部分が視認可能となっている。
【００２８】
図１，２に示すように、クリア部材保持枠１４０は、一方の側部（遊技機１００の前面側から見て左側の側部）が前面枠本体１３０の一方の側部に回動可能に軸支されて扉状に開閉自在とされ、クリア部材保持枠１４０を開くことにより、遊技盤の前面側の遊技領域の前側を開放可能となっている。また、クリア部材保持枠１４０の前面であって、ガラス板１４１が固定されて遊技領域を視認可能とする部分の周囲には、枠装飾装置としての装飾ランプ・ＬＥＤ１４４、音声を出力するスピーカ１４５，１４５、前面枠が不正に開閉された場合に報知されるエラー報知ＬＥＤ１４６、前面枠の開放状態を報知する前面枠開放状態報知ＬＥＤ１４７、などが設けられている。また、前面枠本体１３０に軸着されたクリア部材保持枠１４０の開放端側となる前面側から見て右側の端部の前面には、施錠装置１６０のシリンダ錠１７５の前端が配され、この前端には鍵穴が形成されている。
【００２９】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４が設けられている。また灰皿１５５や、遊技領域に向けての遊技球の発射操作を行うとともに、発射勢を調節するための操作ハンドル１５６、音声を出力するスピーカ１５７などが設けられている。
【００３０】
また、図２に示すように、前面枠本体１３０の裏面側には、遊技機１００としての諸機能を実現するための機構として、例えば、島設備より供給される遊技球を貯留する貯留タンク（図示略）や、球貸要求に応じた球排出や賞球排出を行う排出装置１０２や、遊技盤に設けられた各種入賞口へ入賞して回収された遊技球や何れの入賞口にも入賞せずにアウト口から回収された遊技球を機外の回収球搬送路へ導く遊技球回収機構などが設けられている。また、球排出や打球の発射制御を行う排出・発射制御装置１０３、各部へ所定の電源を供給する電源装置１０４等が設けられている。なお、遊技盤に設けた遊技装置の動作制御などを行うことで遊技の進行を統括的に制御する遊技制御装置は、遊技盤の裏面に取り付けられている。
【００３１】
図２，８に示すように、前面枠本体１３０の裏面の開放端側に取り付けられる施錠装置１６０は、図９，１０に示すように、前面枠本体１３０に固定されるベース部材１６１と、該ベース部材１６１に取り付けられた機構部１７０、不正防止カバー１９０とを備える。この施錠装置１６０は、本体枠１１０に対する前面枠１２０の施錠、解錠や、前面枠本体１３０に対するクリア部材保持枠１４０の施錠、解錠を行うためのものである。
【００３２】
図９に示すように、ベース部材１６１は、前壁部１６１ａと、該前壁部１６１ａの側端に垂直に形成された側壁部１６１ｂとを備えるＬ字状の部材で、機構部１７０や不正防止カバー１９０を所定の位置に取り付けるための位置決め部や固定部などが多数形成されている。このＬ字状のベース部材１６１は、前壁部１６１ａにおける、側壁部１６１ｂが延出する面の裏面が左右方向に沿うように前面枠本体１３０の裏面に密着するように配されて、側壁部１６１ｂが前壁部１６１ａにおける前面枠本体１３０の中央側の側端から、前後方向に沿って後方に延出するようになっている。また、前壁部１６１ａと側壁部１６１ｂの接合部分が上下方向に沿って配されるようになっており、前壁部１６１ａ及び側壁部１６１ｂは垂直に配されるようになっている。
【００３３】
機構部１７０は、該機構部１７０をベース部材１６１に固定する上係止支持部材１７１、下係止支持部材１７２と、本体枠１１０に対して前面枠１２０を施錠する前面枠施錠部１８０と、前面枠本体１３０に対してクリア部材保持枠１４０を施錠するクリア部材保持枠施錠部１７４と、前面枠施錠部１８０及びクリア部材保持枠施錠部１７４の施錠を解除するためのシリンダ錠１７５とを備える。
【００３４】
上係止支持部材１７１は、機構部１７０の上端部に設けられており、前壁部１６１ａの裏面に固定する固定部１７１ａを備えるとともに、側壁部１６１ｂに沿って配されて後述する上係止部１８１を支持する支持部１７１ｂを備える。また、下係止支持部材１７２は、機構部１７０の下端部に設けられており、前壁部１６１ａの裏面に固定する固定部１７２ａを備えるとともに、側壁部１６１ｂに沿って配されて後述する下係止部１８２を支持する支持部１７２ｂを備える。
【００３５】
前面枠施錠部１８０は、本体枠１１０に設けられた被係止部１１１に係合する上係止部１８１及び下係止部１８２と、上係止部１８１及び下係止部１８２を連動して解錠動作するための連動部１８３とを備える。上係止部１８１は、本体枠１１０に設けられた被係止部１１１に係合する切欠き状の係合凹部１８１ａと、上係止支持部材１７１により回動可能に軸支される軸支部１８１ｂ、該軸支部１８１ｂを軸支する軸と平行な軸を介して連動部１８３の上側部分をなす上連動部１８４の上端と回動可能に接続される接続部１８１ｃとを備える。
【００３６】
図１１（ａ）に示すように、この上係止部１８１は、上係止支持部材１７１がベース部材１６１に固定された状態では、ベース部材１６１の側壁部１６１ｂに沿って前方から軸支部１８１ｂ、接続部１８１ｃ、係合凹部１８１ａの順に並ぶように配されている。そして、接続部１８１ｃに接続した上連動部１８４を動作することで、軸支部１８１ｂを中心に上下に回動可能となっている。この上係止部１８１に形成された係合凹部１８１ａは、上係止部１８１の一側端である下端部に、上被係止部１１１ａを受け入れる受入開口部１８１ｄが開口する凹部で、側壁部１６１ｂの後端よりも後方に位置するように配される。このような係合凹部１８１ａを備えることで上係止部１８１は、本体枠１１０に設けられた上被係止部１１１ａに対して上側から係合可能となっている。
【００３７】
また、軸支部１８１ｂを中心に上下に回動可能となっている上係止部１８１の回動範囲は、係合凹部１８１ａが上被係止部１１１ａと係合可能な係合可能位置と、係合凹部１８１ａが上被係止部１１１ａと係合不能な非係合位置との間とされている。
【００３８】
図１１，１３に示すように、係合可能位置は、例えば、上下の回動範囲における下端の位置であって、係合凹部１８１ａの受入開口部１８１ｄが、上被係止部１１１ａの上端部よりも下側となるような位置である。
また、図１２に示すように、非係合位置は、例えば、上下の回動範囲における上端の位置であって、係合凹部１８１ａの受入開口部１８１ｄにおける上被係止部１１１ａに近い側の端部である後端１８１ｅが、上被係止部１１１ａの上端部よりも上側となるような位置である。
【００３９】
また、上係止部１８１の自由端側である後端部には、前方に向かって下る傾斜面である後端傾斜部１８１ｆが形成されている。この後端傾斜部１８１ｆの上端（後端）は、上係止部１８１が係合可能位置にある状態で、上被係止部１１１ａの上端よりも上側に位置し、後端傾斜部１８１ｆの下端（前端）は受入開口部１８１ｄの後端１８１ｅに接続するように形成されている。この後端傾斜部１８１ｆによって、後述するように、前面枠１２０の閉鎖時において受入開口部１８１ｄの後端１８１ｅが上被係止部１１１ａを乗り越えるように案内され、上係止部１８１と上被係止部１１１ａとが係合するようになる。
【００４０】
また、図９、１０に示すように、下係止部１８２は上係止部１８１と同様の構成を有しており、本体枠１１０に設けられた被係止部１１１に係合する切欠き状の係合凹部１８２ａと、下係止支持部材１７２により回動可能に軸支される軸支部１８２ｂ、該軸支部１８２ｂを軸支する軸と平行な軸を介して連動部１８３の下側部分をなす下連動部１８６の下端と回動可能に接続される接続部１８２ｃとを備える。
【００４１】
この下係止部１８２は、下係止支持部材１７２がベース部材１６１に固定された状態では、ベース部材１６１の側壁部１６１ｂに沿って前方から軸支部１８２ｂ、接続部１８２ｃ、係合凹部１８２ａの順に並ぶように配されている。そして、接続部１８２ｃに接続した下連動部１８６を動作することで、軸支部１８２ｂを中心に上下に回動可能となっている。この下係止部１８２に形成された係合凹部１８２ａは、下係止部１８２の一側端である下端部に、下被係止部１１１ｂを受け入れる受入開口部１８２ｄが開口する凹部で、側壁部１６１ｂの後端よりも後方に位置するように配される。このような係合凹部１８２ａを備えることで下係止部１８２は、本体枠１１０に設けられた下被係止部１１１ｂに対して上側から係合可能となっている。
【００４２】
また、軸支部１８２ｂを中心に上下に回動可能となっている下係止部１８２の回動範囲は、係合凹部１８２ａが下被係止部１１１ｂと係合可能な係合可能位置と、係合凹部１８２ａが下被係止部１１１ｂと係合不能な非係合位置との間とされている。係合可能位置は、上下の回動範囲における下端の位置であって、係合凹部１８２ａの受入開口部１８２ｄが、下被係止部１１１ｂの上端部よりも下側となるような位置である。また、非係合位置は、上下の回動範囲における上端の位置であって、係合凹部１８２ａの受入開口部１８２ｄにおける下被係止部１１１ｂに近い側の端部である後端１８２ｅが、下被係止部１１１ｂの上端部よりも上側となるような位置である。
【００４３】
また、下係止部１８２の後端部には、前方に向かって下る傾斜面１８２ｆが形成されている。この傾斜面１８２ｆの上端（後端）は、下係止部１８２が係合可能位置にある状態で、下被係止部１１１ｂの上端よりも上側に位置し、傾斜面１８２ｆの下端（前端）は受入開口部１８２ｄの後端１８２ｅに接続するように形成されている。この傾斜面１８２ｆによって、後述するように、前面枠１２０の閉鎖時において受入開口部１８２ｄの後端１８２ｅが下被係止部１１１ｂを乗り越えるように案内され、下係止部１８２と下被係止部１１１ｂとが係合するようになる。
【００４４】
図９に示すように、連動部１８３は、上部に配される上連動部１８４と、該上連動部１８４の下部に接続する中連動部１８５と、該中連動部１８５の下部に接続する下連動部１８６とからなり、側壁部１６１ｂに沿うように上下方向に沿って配されている。
【００４５】
上連動部１８４は、上端が上述したように上係止部１８１の接続部１８１ｃと軸を介して接続している。また、下端には上下に延在する長孔１８４ａが形成されており、この長孔１８４ａに中連動部１８５側に形成された接続軸１８５ａを挿通することで中連動部１８５とスライド可能に接続されている。この上連動部１８４と中連動部１８５の接続部は、上係止部１８１が係合可能位置にある状態では、長孔１８４ａの上端に接続軸１８５ａが位置するようになっている。よって、この状態から、中連動部１８５を上方に動作することで、上連動部１８４を上方に動作でき、上係止部１８１を非係合位置に回動できるようになっている。
【００４６】
また、上連動部１８４の後端部には、本体枠１１０に設けられた被係止部１１１に対して上側から係合可能な板状の中係止部１８４ｂが形成されている。なお、被係止部１１１のうち、中係止部１８４ｂが係合する被係止部１１１が中被係止部１１１ｃをなす。この中係止部１８４ｂは上連動部１８４を動作することで上下動するものであり、その移動範囲は、中係止部１８４ｂが中被係止部１１１ｃと係合可能な係合可能位置と、中係止部１８４ｂが中被係止部１１１ｃと係合不能な非係合位置との間とされている。係合可能位置は、上下の移動範囲における下端の位置であって、中係止部１８４ｂの下端が中被係止部１１１ｃの上端部よりも下側となるような位置である。また、非係合位置は、上下の移動範囲における上端の位置であって、中係止部１８４ｂの下端が中被係止部１１１ｃの上端部よりも上側となるような位置である。よって、中連動部１８５を上方に動作して上連動部１８４を上方に動作することで、中係止部１８４ｂが非係合位置に移動するようになっている。
【００４７】
下連動部１８６は、下端が上述したように下係止部１８２の接続部１８２ｃと軸を介して接続している。また、上端には上下に延在する長孔１８６ａが形成されており、この長孔１８６ａに中連動部１８５側に形成された接続軸１８５ｂを挿通することで中連動部１８５とスライド可能に接続されている。この下連動部１８６と中連動部１８５の接続部は、下係止部１８２が係合可能位置にある状態では、長孔１８６ａの上端に接続軸１８５ｂが位置するようになっている。よって、この状態から、中連動部１８５を上方に動作することで、下連動部１８６を上方に動作でき、下係止部１８２を非係合位置に回動できるようになっている。
【００４８】
中連動部１８５は上述したように、上端に上連動部１８４と接続するための接続軸１８５ａが延在方向に対して垂直に形成され、下端に下連動部１８６と接続するための接続軸１８５ｂが延在方向に対して垂直に形成されている。また、中連動部１８５における後述のシリンダ錠１７５に隣接して配される位置には、シリンダ錠１７５のカム１７５ｄに形成された第１係合部と係合する第１カム係合部１８５ｃが形成されている。
【００４９】
このような連動部１８３は、外部から力が加わっていない状態では、上係止部１８１、下係止部１８２、上連動部１８４の中係止部１８４ｂが、本体枠１１０に設けられた被係止部１１１に係合可能な係合可能位置に位置するように、図示しない付勢手段により付勢されている。そして、この状態から後述するシリンダ錠１７５のカム１７５ｄに形成された第１係合部が、第１カム係合部１８５ｃを上方に押し上げることで中連動部１８５が上方へ動作し、これに伴い中連動部１８５に接続した上連動部１８４と下連動部１８６も上方に動作する。そして、図１２に示すように、上係止部１８１、下係止部１８２（図示省略）、上連動部１８４の中係止部１８４ｂが、本体枠１１０に設けられた被係止部１１１と係合不能な非係合位置に移動する。これにより、本体枠１１０に設けられた被係止部１１１との係合が解除され、前面枠１２０を本体枠１１０に対して開放することができるようになっている。
【００５０】
なお、上連動部１８４と中連動部１８５の接続部１８７は、上係止部１８１が被係止部１１１に係合している状態では長孔１８４ａの上端に接続軸１８５ａが位置しており、この状態で上係止部１８１を非係合位置に回動（上連動部１８４を上方へ移動）しても、接続軸１８５ａに対して長孔１８４ａが上方に移動するため上連動部１８４、中係止部１８４ｂのみが非係合位置に移動することとなる。また、下連動部１８６と中連動部１８５の接続部１８８も、下係止部１８２が被係止部１１１に係合している状態では長孔１８６ａの上端に接続軸１８５ｂが位置しており、この状態で下係止部１８２を非係合位置に回動（下連動部１８６を上方へ移動）しても、接続軸１８５ｂに対して長孔１８６ａが上方に移動するため下連動部１８６のみが非係合位置に移動することとなる。
【００５１】
つまり、中連動部１８５を上方に動作した場合のみ上連動部１８４と下連動部１８６が同時に上方へ移動して、上係止部１８１、下係止部１８２を非係合位置に回動する。これにより、上係止部１８１、下係止部１８２、上連動部１８４の中係止部１８４ｂと、本体枠１１０に設けられた被係止部１１１との係合が同時に解除され、前面枠１２０を本体枠１１０に対して開放することができるようになっている。よって、不正に上連動部１８４や上係止部１８１が操作されても、上係止部１８１と、上連動部１８４に形成された中係止部１８４ｂの係合が解除されるが、下係止部１８２の係合は解除されず、前面枠１２０を本体枠１１０に対して開放することができないようになっている。同様に、不正に下連動部１８６や下係止部１８２が操作されても、下係止部１８２の係合が解除されるが、上係止部１８１と、上連動部１８４に形成された中係止部１８４ｂの係合は解除されず、前面枠１２０を本体枠１１０に対して開放することができないようになっている。
【００５２】
また、後述するように、本体枠１１０に対して開放した状態の前面枠１２０を、本体枠１１０方向に押し込めば、上係止部１８１、下係止部１８２、上連動部１８４の中係止部１８４ｂが、本体枠１１０に設けられた被係止部１１１と係合し、自動的に施錠された状態となる。このとき、接続部１８７，１８８を備えることで、上連動部１８４と下連動部１８６が独立して動作可能であるので、上係止部１８１および中係止部１８４ｂと、下係止部１８２と、が独立して（異なるタイミングで）被係止部１１１と係合可能となる。
【００５３】
すなわち、連動部１８３が、シリンダ錠１７５と複数の係止部（上係止部１８１、下係止部１８２）とを接続するように配され、シリンダ錠１７５の解錠操作に応じて全ての係止部を非係合位置に回動させる解錠伝達機構をなす。また、上連動部１８４と中連動部１８５の接続部１８７、下連動部１８６と中連動部１８５の接続部１８８が、一の係止部が操作されて非係合位置へ回動されても、他の係止部が連動して非係合位置に回動しないようにする伝達遮断機構をなす。
【００５４】
クリア部材保持枠施錠部１７４は、連動部１８３に沿って上下に延在するように配される本体部１７４ａと、該本体部１７４ａに形成され、クリア部材保持枠１４０に設けられた被係合部に係合するクリア部材保持枠係止部１７４ｂと、を備える。
【００５５】
クリア部材保持枠係止部１７４ｂは、本体部１７４ａの前端部から前方へ延出するように形成されており、前壁部１６１ａに形成されたスリット状の貫通孔１６２を貫通して、前面枠本体１３０の前方へ延出するように配されるようになっている。そして、前面枠本体１３０の前方へ延出する部分には、クリア部材保持枠１４０に設けられた被係合部（図示略）に対して下側から係合するように上方に開口する切欠き状の係合部１７４ｃが形成されている。また、本体部１７４ａにおける後述のシリンダ錠１７５に隣接して配される位置であって、連動部１８３の第１カム係合部１８５ｃに隣接して配される部分には、シリンダ錠１７５のカム１７５ｄに形成された第２係合部と係合する第２カム係合部１７４ｄが形成されている。
【００５６】
このようなクリア部材保持枠施錠部１７４は、外部から力が加わっていない状態では、クリア部材保持枠係止部１７４ｂがクリア部材保持枠１４０に設けられた被係合部に係合可能な状態となるように、図示しない付勢手段により付勢されている。そして、この状態から、後述するシリンダ錠１７５のカム１７５ｄに形成された第２係合部が、第２カム係合部１７４ｄを下方に押し下げることで下方に動作し、クリア部材保持枠係止部１７４ｂとクリア部材保持枠１４０に設けられた被係合部との係合が解除され、クリア部材保持枠１４０を前面枠本体１３０に対して開放できるようになっている。
【００５７】
また、本体部１７４ａの後端部であって上下方向の中央部分には、クリア部材保持枠開放操作部１７４ｅが形成されている。このクリア部材保持枠開放操作部１７４ｅは、中連動部１８５の後端部に形成された切欠き状の配設部１８５ｄに配設され、前面枠１２０の裏面側からクリア部材保持枠施錠部１７４を操作可能とするもので、本体枠１１０に対し前面枠１２０を開放した状態においてクリア部材保持枠１４０を前面枠１２０に対して開放する際に使用する。また、このクリア部材保持枠開放操作部１７４ｅに対して、前面枠本体１３０の開放端側となる側方と上下を覆うようにカバー部材１７６が設けられている。さらに、クリア部材保持枠開放操作部１７４ｅの後方には、後述する中央部不正防止カバー１９２が取り付けられるようになっており、クリア部材保持枠開放操作部１７４ｅに対する不正な操作を防止するようになっている。
【００５８】
シリンダ錠１７５は、前端に鍵穴が形成されたシリンダ部１７５ａと、前壁部１６１ａに固定するための固定部１７５ｃと、前面枠施錠部１８０の第１カム係合部１８５ｃ及びクリア部材保持枠施錠部１７４の第２カム係合部１７４ｄと係合するカム１７５ｄと、解錠可能な鍵を変更するためのリセット操作部材１７５ｅとを備える。
【００５９】
シリンダ部１７５ａは、前壁部１６１ａに形成されたシリンダ部挿通部１６３に裏面側から挿通されて前面枠本体１３０の前方へ延出し、前端が前面枠１２０の前端に位置するようになっている。また、シリンダ部１７５ａの後端部に形成された固定部１７５ｃがシリンダ部挿通部１６３の周縁に係止されることで、シリンダ部１７５ａが所定の前後位置に配されるようになっている。そして、この固定部１７５ｃを前壁部１６１ａの裏面に固定することでシリンダ錠１７５がベース部材１６１に固定されるようになっている。
【００６０】
また、シリンダ部１７５ａの前端には鍵穴が形成されており、予め設定された鍵を鍵穴に挿入して回すことで、シリンダ錠１７５の裏面に設けられたカム１７５ｄが同じ方向へ回るようになっている。このカム１７５ｄは、前面枠施錠部１８０及びクリア部材保持枠施錠部１７４が配された側である側壁部１６１ｂ側に延出するように形成されている。上述したように、前面枠施錠部１８０及びクリア部材保持枠施錠部１７４は重なって配されており、カム１７５ｄには延出幅が短い第１係合部と、延出幅の長い第２係合部が形成されている。そして、第１係合部はシリンダ錠１７５側から見て手前側に位置する前面枠施錠部１８０の第１カム係合部１８５ｃに係合可能であり、第２係合部は奥側に位置するクリア部材保持枠施錠部１７４の第２カム係合部１７４ｄに係合可能となっている。
【００６１】
第１係合部は、鍵穴に挿入した鍵を前面側から見て時計回り方向に回すことで上方へ回動し、前面枠施錠部１８０に形成された第１カム係合部１８５ｃの上側の周縁に係合して中連動部１８５を上方に押し上げるようになっている。このとき、第２係合部は他の部分と係合しないようになっている。これにより、本体枠１１０に対して前面枠１２０を開放可能となる。また、第２係合部は、鍵穴に挿入した鍵を前面側から見て反時計回り方向に回すことで下方へ回動し、クリア部材保持枠施錠部１７４に形成された第２カム係合部１７４ｄの下側の周縁に係合して本体部１７４ａを下方に押し下げるようになっている。このとき、第１係合部は他の部分と係合しないようになっている。これにより、前面枠本体１３０に対してクリア部材保持枠１４０を開放可能となる。
【００６２】
リセット操作部材１７５ｅは、前壁部１６１ａに取り付けられるシリンダ錠１７５の裏面上部に配され、下方に押下可能なスイッチである。このリセット操作部材１７５ｅは、解錠可能な鍵を変更する際に用いるもので、新たに設定する鍵を鍵穴に挿入し、リセット操作部材１７５ｅを下方に押下した状態で鍵を回すことで、解錠可能な鍵がその鍵に変更される。
【００６３】
図９に示すように、機構部１７０の後方側には、機構部１７０に対する不正な操作を防止するための不正防止カバー１９０が取り付けられている。この不正防止カバー１９０は、上連動部１８４と中連動部１８５の接続部１８７の近傍を覆う上部不正防止カバー１９１と、クリア部材保持枠開放操作部１７４ｅを覆う中央部不正防止カバー１９２と、下連動部１８６と中連動部１８５の接続部１８８や、シリンダ錠１７５のカム１７５ｄ、カム１７５ｄと係合する第１カム係合部１８５ｃ、第２カム係合部１７４ｄなどを覆う下部不正防止カバー１９３とからなる。
【００６４】
上部不正防止カバー１９１は、上連動部１８４と中連動部１８５の接続部１８７における前面枠本体１３０の開放端側となる側方と、上下及び後方を覆うようになっている。これにより、上連動部１８４と中連動部１８５の接続部１８７は、上部不正防止カバー１９１とベース部材１６１の前壁部１６１ａ及び側壁部１６１ｂにより周囲が囲まれ、前面枠１２０と本体枠１１０の間などから不正に挿入された異物による操作ができないようになっている。
【００６５】
また、中央部不正防止カバー１９２は、カバー部材１７６とともに、クリア部材保持枠開放操作部１７４ｅにおける前面枠本体１３０の開放端側となる側方と、上下及び後方を覆うようになっている。これにより、クリア部材保持枠開放操作部１７４ｅは、中央部不正防止カバー１９２とカバー部材１７６、ベース部材１６１の前壁部１６１ａ及び側壁部１６１ｂにより周囲が囲まれ、前面枠１２０と本体枠１１０の間などから不正に挿入された異物による操作ができないようになっている。なお、クリア部材保持枠開放操作部１７４ｅを操作する場合にはこの中央部不正防止カバー１９２を取り外して操作することで操作可能となる。
【００６６】
下部不正防止カバー１９３は、シリンダ錠１７５のカム１７５ｄや、カム１７５ｄと係合する第１カム係合部１８５ｃ、第２カム係合部１７４ｄにおける前面枠本体１３０の開放端側となる側方と、上下及び後方を覆う第１周囲壁１９３ａを備えている。この第１周囲壁１９３ａとベース部材１６１の前壁部１６１ａ及び側壁部１６１ｂにより、シリンダ錠１７５のカム１７５ｄ、カム１７５ｄと係合する第１カム係合部１８５ｃ、第２カム係合部１７４ｄの周囲が囲まれる。これにより前面枠１２０と本体枠１１０の間などから不正に挿入された異物による操作ができないようになっている。
【００６７】
また、第１周囲壁１９３ａは、第１カム係合部１８５ｃ、第２カム係合部１７４ｄの下方に位置する下連動部１８６と中連動部１８５の接続部１８８における、前面枠本体１３０の開放端側となる側方と、上方及び後方の一部も覆うようになっている。これにより、下連動部１８６と中連動部１８５の接続部１８８が第１周囲壁１９３ａとベース部材１６１の前壁部１６１ａ及び側壁部１６１ｂにより周囲が囲まれ、前面枠１２０と本体枠１１０の間などから不正に挿入された異物による操作ができないようになっている。
【００６８】
また、第１周囲壁１９３ａにおけるシリンダ錠１７５のカム１７５ｄや、カム１７５ｄと係合する第１カム係合部１８５ｃ、第２カム係合部１７４ｄの上側を覆う上面であって、シリンダ錠１７５の裏面上部に設けられたリセット操作部材１７５ｅの上方となる位置には、リセット操作部材１７５ｅを操作するための操作部１９３ｂが形成されている。
【００６９】
この操作部１９３ｂは、第１周囲壁１９３ａの上面における前端から後方へ向けて二本の平行な切り込みを形成することによって、後端のみが接続するように形成された板状の部分で、この接続部分を中心に上下に撓むようになっている。これにより、下部不正防止カバー１９３を取り付けた状態でもリセット操作部材１７５ｅを操作可能となる。
【００７０】
また、下部不正防止カバー１９３には、操作部１９３ｂが形成された第１周囲壁１９３ａの上面に対する前面枠本体１３０の開放端側となる側方と上方を覆うように、第２周囲壁１９３ｅが形成されている。そして、第２周囲壁１９３ｅと、ベース部材１６１の前壁部１６１ａ及び側壁部１６１ｂにより、操作部１９３ｂが形成された第１周囲壁１９３ａの上方に、後方から略指一本が挿入可能な操作空間１９３ｆが形成され、操作部１９３ｂの操作を可能とするとともに、不正な操作を防止するようになっている。
【００７１】
以上のような施錠装置１６０においては、シリンダ錠１７５の鍵穴に所定の鍵を挿入し、時計回り方向に回せば本体枠１１０に対する前面枠１２０の係止が解除され、反時計回り方向に回せば前面枠本体１３０に対するクリア部材保持枠１４０の係止が解除される。また、前面枠本体１３０に対して開放した状態のクリア部材保持枠１４０を、前面枠本体１３０方向に押し込めば、クリア部材保持枠係止部１７４ｂがクリア部材保持枠１４０に設けられた被係合部を乗り越えて下側から係合し、自動的に施錠された状態となる。
【００７２】
さらに、以上のような施錠装置１６０においては、本体枠１１０に対して開放した状態の前面枠１２０を、本体枠１１０方向に押し込めば、上係止部１８１、下係止部１８２、上連動部１８４の中係止部１８４ｂが、本体枠１１０に設けられた被係止部１１１と係合し、自動的に施錠された状態となる。
【００７３】
図１１（ａ）に示すように、本体枠１１０に対して前面枠１２０を開放した状態では、上係止部１８１、下係止部１８２（図示省略）、上連動部１８４に形成された中係止部１８４ｂは、図示しない付勢部材によって付勢されて係合可能位置に位置するようになっている。この状態から前面枠１２０を本体枠１１０方向に回動させると、上係止部１８１は、その後端の後端傾斜部１８１ｆが上被係止部１１１ａの上端部の前端に当接する。また、上連動部１８４に形成された中係止部１８４ｂの下端部は、中被係止部１１１ｃの上端部の前端に形成された傾斜面１１１ｄに当接する。または、中係止部１８４ｂは上係止部１８１に連動するため傾斜面１１１ｄに当接せずに傾斜面１１１ｄを越える。
【００７４】
そして、図１２に示すように、さらに前面枠１２０を本体枠１１０方向に押し込むことで、上係止部１８１と上被係止部１１１ａとの接点は上係止部１８１における前方へ移動するが、上係止部１８１の後端に形成された後端傾斜部１８１ｆは前方へ向かって下る傾斜面であるため、上係止部１８１は上方に回動する。また、上係止部１８１と上連動部１８４は連動して動作するので、上連動部１８４に形成された中係止部１８４ｂは連動して上方へ動作することとなり、中係止部１８４ｂは、中被係止部１１１ｃに形成された傾斜面１１１ｄに沿って移動することで上方へ移動する。ただし、伝達遮断機構をなす接続部１８７により、下係止部１８２は連動して動作しないようにされている。また、上係止部１８１は付勢部材によって係合可能位置となる方向に付勢されているので、上方への動作は付勢部材の付勢力に抗して動作することとなる。
【００７５】
そして、図１２に示すように、上係止部１８１の後端傾斜部１８１ｆの下端（前端）は受入開口部１８１ｄの後端１８１ｅに連続しており、上被係止部１１１ａと後端傾斜部１８１ｆとの接点が後端傾斜部１８１ｆの下端（前端）を越えることで、受入開口部１８１ｄの後端１８１ｅが上被係止部１１１ａの上端部よりも上側に達することとなる。すなわち、上係止部１８１が非係合位置に達することとなる。これにより、受入開口部１８１ｄの後端１８１ｅが上被係止部１１１ａの上端部を乗り越え、上被係止部１１１ａの上端部の後端よりも後方に移動することが可能となる。またこのとき、上連動部１８４の中係止部１８４ｂもその下端が中被係止部１１１ｃの上端を乗り越え、中被係止部１１１ｃの後端よりも後方に移動可能となる。
【００７６】
そして、図１３に示すように、受入開口部１８１ｄの後端１８１ｅが上被係止部１１１ａの上端部の後端よりも後方に移動すると、上被係止部１１１ａが係合凹部１８１ａ内に導入可能となる。上係止部１８１は付勢部材により係合可能位置となる方向へ付勢されているので、この状態となると、付勢部材の付勢力により上係止部１８１が係合可能位置に戻り、係合凹部１８１ａ内に上被係止部１１１ａが挿入された状態となる。すなわち、上係止部１８１と上被係止部１１１ａが係合した状態となる、また、上係止部１８１が係合可能位置に戻ることで、中係止部１８４ｂも係合可能位置に戻り、中係止部１８４ｂと中被係止部１１１ｃとが係合した状態となる。また、このとき、中係止部１８４ｂは、中被係止部１１１ｃの後方に備えられた垂直方向検出スイッチ１１５を押圧した状態となり、前面枠１２０が垂直方向において閉状態であることを検出することができる。
【００７７】
下係止部１８２においても上係止部１８１と同様に、本体枠１１０に対して開放した状態の前面枠１２０を本体枠１１０方向に回動させることで、その後端に形成された前方へ向かって下る傾斜面１８２ｆが下被係止部１１１ｂの上面部の前端に当接する。さらに前面枠１２０を本体枠１１０方向に押し込むことで、下係止部１８２と下被係止部１１１ｂとの接点は下係止部１８２における前方へ移動し、下係止部１８２は付勢部材の付勢力に抗して上方に回動する。そして、下被係止部１１１ｂと傾斜面１８２ｆとの接点が傾斜面１８２ｆの下端（前端）を越えることで、受入開口部１８２ｄの後端１８２ｅが下被係止部１１１ｂの上端部よりも上側に達する非係合位置となる。これにより、受入開口部１８２ｄの後端１８２ｅが下被係止部１１１ｂの上端部を乗り越えて、下被係止部１１１ｂの上端部の後端よりも後方に移動可能となる。下係止部１８２は付勢部材により係合可能位置となる方向へ付勢されているので、受入開口部１８２ｄの後端１８２ｅが下被係止部１１１ｂの上端部の後端よりも後方に移動すると、付勢部材の付勢力により下係止部１８２が係合可能位置に戻り、係合凹部１８２ａ内に下被係止部１１１ｂが挿入された状態となる。すなわち、下係止部１８２と下被係止部１１１ｂが係合した状態となる。
【００７８】
＜遊技機の制御系＞
次に、以上のような遊技機１００の制御系について説明する。
図１４に示すように、遊技機１００は、その制御系として遊技の進行を制御する遊技制御装置３０（メイン制御装置）、この遊技制御装置３０の制御下で各種の演出に関する制御を行う演出制御装置４０（サブ制御装置）を備えている。
【００７９】
遊技制御装置３０は、ＣＰＵ３０ａ、ＲＡＭ３０ｂ、ＲＯＭ３０ｃ等を備える遊技用マイクロコンピュータ、入出力インタフェース（入出力Ｉ／Ｆ）３１、クロック（発振器；ＣＬＫ）３２等により構成されている。
【００８０】
ＣＰＵ３０ａは、制御部、演算部を備え、演算制御を行う他、特図変動表示ゲームの大当たり判定用乱数値などの各種乱数値なども生成している。ＲＡＭ３０ｂは、普通変動入賞装置に設けられた特図始動入賞口センサ９ｂのオン信号などを記憶する記憶領域や、前記各種乱数値の記憶領域、並びに、ＣＰＵ３０ａの作業領域等を備えている。ＲＯＭ３０ｃには、遊技上の制御プログラムや制御データが書き込まれている他、上述の各種乱数値に対応して、特図変動表示ゲームの大当り発生を判定するための、特図変動表示ゲームの大当り判定値、変動パターン（リーチアクションの種類）の判定値などが記憶されている。
【００８１】
また、遊技制御装置３０は、入出力インタフェース３１を介して、特図始動入賞口センサ９ｂ、普図始動ゲートセンサ６ａ、一般入賞口センサ８ａ、大入賞口センサ５ｂ、水平方向検出スイッチ１１４、垂直方向検出スイッチ１１５などが接続され、これらセンサ等からの検出信号が入力されるようになっている。そして、入出力インタフェース３１は、これらの入力された各種信号を中継し、ＣＰＵ３０ａに対し出力する。
【００８２】
また、入出力インタフェース３１は、ＣＰＵ３０ａから出力される各種の制御信号が入力される。これら制御信号は、該入出力インタフェース３１により中継されて、特図表示器９、特図記憶表示器１５、特図状態表示器１６、普図表示器５、普図記憶表示器６、普図状態表示器１７、可動部材用ＳＯＬ１０ｂ、普電用ＳＯＬ７ｂ、遊技機外部の管理装置などと接続する外部情報端子３５、演出制御装置４０、排出制御装置５０に出力される。
【００８３】
演出制御装置４０は、演算処理用ＣＰＵ４０ａ、ＲＯＭ４０ｂ、ＲＡＭ４０ｃ等を備えて構成されている。この演出制御装置４０は、遊技制御装置３０から受信した演出制御データに基づいて（遊技制御装置３０の制御の下に）遊技機の制御を行うものである。また、演出制御装置４０には、遊技盤（図示省略）やクリア部材保持枠１４０の枠装飾装置として設けられた各種装飾ランプ・ＬＥＤ１４４や、スピーカ１４５，１５７、前面枠１２０が不正に開閉された場合にエラー報知を行うエラー報知ＬＥＤ１４６、前面枠１２０の開放状態を報知する前面枠開放状態報知ＬＥＤ１４７、液晶表示装置４が接続され、遊技制御装置３０の制御のもと、これらを制御することで遊技の演出を行うようになっている。
【００８４】
また、排出制御装置５０は、遊技制御装置３０からの制御信号（賞球コマンド）や、球貸機からの制御信号（球貸しコマンド）に基づいて所要数の遊技球（賞球、貸球）を排出装置１０２から排出させる制御を行うものである。また、遊技機１００の異常状態を検出するセンサから入力される検出信号に基づき、遊技制御装置３０に制御信号を出力する制御を行うものである。
【００８５】
また、遊技制御装置３０は、電源装置１０４から電力が供給されており、その他の装置にも電源装置１０４から電力が供給されるようになっている。さらに、電源装置１０４には、停電時等の外部からの電力の供給が途絶えた場合でも電力を供給可能とするためのバックアップ電源が備えられ、停電時等に各制御装置の揮発性メモリに保存されたデータの消失を防止するようになっている。
【００８６】
次に、図１５に示すフローチャートに基づいて、本発明に係る前面枠開閉状態検出処理の手順について説明する。
なお、遊技機１００には、前面枠１２０の正常な開閉状態として、水平方向検出スイッチ１１４及び垂直方向検出スイッチ１１５による検出タイミングパターンが設定されており、例えば、図１６（ａ）に示すように、水平方向検出スイッチ１１４が「ＯＮ」信号を出力してから所定時間（例えば、１ｓ）以内に垂直方向検出スイッチ１１５が「ＯＮ」信号を出力した場合を、前面枠１２０の正常な閉状態パターンとするとともに、図１６（ｂ）に示すように、水平方向検出スイッチ１１４及び垂直方向検出スイッチ１１５が共に「ＯＦＦ」信号を出力した場合を、前面枠１２０の開状態パターンとして設定している。
【００８７】
まず、ステップＳ１において、遊技制御装置３０のＣＰＵ３０ａは、水平方向検出スイッチ１１４において前面枠１２０の回動方向の開閉を検出する。具体的には、遊技制御装置３０のＣＰＵ３０ａが、水平方向検出スイッチ１１４からの「ＯＮ」信号を検出した場合（ステップＳ１；Ｙｅｓ）、ステップＳ２へ移行する。
【００８８】
次いで、ステップＳ２において、遊技制御装置３０のＣＰＵ３０ａは、垂直方向検出スイッチ１１５において前面枠１２０の垂直方向の開閉を検出する。具体的には、遊技制御装置３０のＣＰＵ３０ａが、垂直方向検出スイッチ１１５からの「ＯＮ」信号を検出した場合（ステップＳ２；Ｙｅｓ）、ステップＳ３へ移行して、遊技制御装置３０のＣＰＵ３０ａは、前面枠閉止処理として、例えば、前面枠開放状態報知ＬＥＤ１４７の点灯表示制御を終了する旨の制御信号を演出制御装置４０に出力したり、外部情報端子３５を介して、遊技機外部の管理装置などに前面枠１２０が正常に閉止している旨の信号を出力してステップＳ１へ戻る。一方、ステップＳ２において、遊技制御装置３０のＣＰＵ３０ａが、垂直方向検出スイッチ１１５からの「ＯＦＦ」信号を検出した場合（ステップＳ２；Ｎｏ）、ステップＳ４へ移行する。
【００８９】
次いで、ステップＳ４において、遊技制御装置３０のＣＰＵ３０ａは、水平方向検出スイッチ１１４からの「ＯＮ」信号を検出してから、所定時間が経過したか否かを判定し、遊技制御装置３０のＣＰＵ３０ａが、該所定時間が経過していると判定した場合（ステップＳ４；Ｙｅｓ）、ステップＳ５へ移行する。一方、ステップＳ４において、遊技制御装置３０のＣＰＵ３０ａが、該所定時間が経過していないと判定した場合（ステップＳ４；Ｎｏ）、メインの処理に戻る。
【００９０】
次いで、ステップＳ５において、遊技制御装置３０のＣＰＵ３０ａは、エラー報知を行う旨の制御信号を演出制御装置４０に出力し、演出制御装置４０のＣＰＵ４０ａは、遊技制御装置３０から出力された該制御信号を入力して、エラー報知ＬＥＤ１４６の点灯表示制御を行い、メインの処理に戻る。
【００９１】
一方、ステップＳ１において、遊技制御装置３０のＣＰＵ３０ａが、水平方向検出スイッチ１１４からの「ＯＦＦ」信号を検出した場合（ステップＳ１；Ｎｏ）、ステップＳ６へ移行する。
【００９２】
次いで、ステップＳ６において、遊技制御装置３０のＣＰＵ３０ａは、垂直方向検出スイッチ１１５において前面枠１２０の垂直方向の開閉を検出する。具体的には、遊技制御装置３０のＣＰＵ３０ａが、垂直方向検出スイッチ１１５からの「ＯＮ」信号を検出した場合（ステップＳ６；Ｙｅｓ）、ステップＳ５へ移行する。一方、ステップＳ６において、遊技制御装置３０のＣＰＵ３０ａが、垂直方向検出スイッチ１１５からの「ＯＦＦ」信号を検出した場合（ステップＳ６；Ｎｏ）、ステップＳ７へ移行する。
【００９３】
次いで、ステップＳ７において、遊技制御装置３０のＣＰＵ３０ａは、前面枠１２０の開放状態を報知する旨の制御信号を演出制御装置４０に出力し、演出制御装置４０のＣＰＵ４０ａは、遊技制御装置３０から出力された該制御信号を入力して、前面枠開放状態報知ＬＥＤ１４７の点灯表示制御を行い、メインの処理に戻る。
【００９４】
以上のような遊技機１００は、本体枠１１０と、該本体枠１１０の前面に前方へ回動可能に軸支され開閉可能な前面枠１２０を備える遊技機１００において、前面枠１２０の水平方向の開閉状態を検出可能な水平方向検出スイッチ１１４と、前面枠１２０の垂直方向の状態を検出可能な垂直方向検出スイッチ１１５と、を備え、水平方向検出スイッチ１１４及び垂直方向検出スイッチ１１５による検出結果に基づき、前面枠１２０の開閉状態を検出する。
【００９５】
従って、前面枠の開閉状態を、前面枠の水平方向の開閉状態だけでなく、垂直方向の状態をも検出することができることとなり、例えば、前面枠を上方に持ち上げ、下側にできた前面枠と本体枠との隙間から針金のような部材を挿入し、前面枠裏面に備えられる排出装置などを操作して不当な出球を得るなどの不正を行おうとしても、当該垂直方向検出手段により、前面枠と本体枠との間にできたちょっとした隙間を検出することができるので、当該隙間が出来た状態を報知すること等によって、前面枠の不正な開閉行為を好適に防止することができる。
【００９６】
また、前面枠１２０は、開放端側の裏面に該前面枠１２０の開閉に連動して作動する上係止部１８１、下係止部１８２及び中係止部１８４ｂを備え、本体枠１１０は、上係止部１８１、下係止部１８２及び中係止部１８４ｂに対応する被係止部１１１を備え、上係止部１８１、下係止部１８２及び中係止部１８４ｂが被係止部１１１に係合することで前面枠１２０の閉状態が維持されるように構成され、被係止部１１１は、垂直方向検出スイッチ１１５を備え、垂直方向検出スイッチ１１５は、被係止部１１１に係合される上係止部１８１、下係止部１８２及び中係止部１８４ｂの垂直方向の位置状態を検出することにより、前面枠１２０の垂直方向の状態を検出可能である。
【００９７】
従って、前面枠の開閉に連動して作動する中係止部の垂直方向の位置状態を検出することで、前面枠の垂直方向の状態を検出することができるので、例えば、垂直方向の位置状態をロックするような操作を必要とせず、前面枠の開閉に合わせて自動的に前面枠の垂直方向の位置状態を検出することができる。
【００９８】
また、前面枠１２０は、上係止部１８１、下係止部１８２及び中係止部１８４ｂを備え、本体枠１１０は、上係止部１８１、下係止部１８２及び中係止部１８４ｂに対応する複数の被係止部１１１を備え、複数の被係止部１１１のうち、少なくとも中被係止部１１１ｃは、垂直方向検出スイッチ１１５を備え、垂直方向検出スイッチ１１５を備える中被係止部１１１ｃと上被係止部１１１ａを一体的に形成した。
【００９９】
従って、垂直方向検出スイッチを備える中被係止部と上被係止部を一体的に形成することで、組み付け等による被係止部間の誤差が無く、一方だけ係止され、他方が係止されないという不都合を好適に防止することができる。
【０１００】
また、中係止部１８４ｂは、該前面枠１２０の開閉に連動して垂直方向に作動するように構成され、垂直方向検出スイッチ１１５を備える中被係止部１１１ｃに対応する前面枠１２０の中係止部１８４ｂが垂直方向に作動した場合に垂直方向検出スイッチ１１５を保護する垂直方向に立設した保護壁１１７を備えた。
【０１０１】
従って、垂直方向検出スイッチを保護する垂直方向に立設した保護壁を備えたので、前面枠の中係止部が垂直方向に作動した場合に、当該中係止部が垂直方向検出スイッチを破損することを好適に防止することができる。
【０１０２】
また、本体枠１１０は、少なくとも開放端側の側方部上部を、金属部材で構成し、側方部上部の水平断面を略コ字状に形成するとともに、該側方部上部の端部を丸め込むことで空間部１１９を形成し、空間部１１９に垂直方向検出スイッチ１１５からの配線を通したこととなる。
【０１０３】
従って、本体枠の金属部分の断面を略コ字状に形成し、端部を丸め込んだことにより、本体枠側に垂直方向検出スイッチからの配線を通すことができ、当該配線を保護することができる。
【０１０４】
また、遊技制御装置３０は、水平方向検出スイッチ１１４及び垂直方向検出スイッチ１１５による検出結果の入力タイミングパターンが予め設定された所定のタイミングパターンと一致するか否かを判定し、検出タイミング判定手段により入力タイミングパターンが予め設定された所定のタイミングパターンと一致しないと判定された場合、演出制御装置４０は、エラー報知ＬＥＤ１４６により、エラー報知を行うようにしたこととなる。
【０１０５】
従って、水平方向検出スイッチ及び垂直方向検出スイッチによる検出結果の入力タイミングパターンが予め設定された所定のタイミングパターンと一致するか否かによって、正常な場合における前面枠の閉止状態を好適に検出することができる。また、水平方向検出スイッチ及び垂直方向検出スイッチによる検出結果の入力タイミングパターンが予め設定された所定のタイミングパターンと一致しない場合には、エラー報知を行うことによって、前面枠の不正な開閉行為を好適に防止することができる。
【０１０６】
なお、本発明の遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１０７】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０８】
例えば、本実施例において、水平方向検出スイッチ及び垂直方向検出スイッチを本体枠側に備える設計としたが、水平方向検出スイッチ及び垂直方向検出スイッチを前面枠側に備える設計、水平方向検出スイッチを前面枠側に備え、垂直方向検出スイッチを本体枠側に備える設計、又は、水平方向検出スイッチを本体枠側に備え、垂直方向検出スイッチを前面枠側に備える設計としても良い。
また、例えば、図１７（ａ）の部分拡大図に示すように、水平方向検出スイッチ１１４の頭部が保護壁１１６から突出しない位置に設置されるとともに、当該水平方向検出スイッチ１１４を押圧する前面枠１２０の裏面上部に突片１２０ａが備えられ、当該突片によってのみ、水平方向検出スイッチ１１４の押圧を可能とする設計であっても良い。また同様に、図１７（ｂ）に示すように、垂直方向検出スイッチ１１５の頭部が保護壁１１７から突出しない位置に設置されるとともに、当該垂直方向検出スイッチ１１５を押圧する中係止部１８４ｂの下端に突片が備えられ、当該突片１８４ｂ１によってのみ、垂直方向検出スイッチ１１５の押圧を可能とする設計であっても良い。これにより、水平方向検出スイッチ１１４及び垂直方向検出スイッチ１１５の不正な押圧を好適に防止することができる。
【図面の簡単な説明】
【０１０９】
【図１】本発明を適用した一実施の形態の構成を示す遊技機の正面図である。
【図２】遊技機の前面側から見た斜視図であって、前面枠本体、クリア部材保持枠を開放した状態を示す図である。
【図３】本体枠の前面側から見た斜視図である。
【図４】本体枠を右斜め下から見た斜視図である。
【図５】本体枠を右斜め上から見た斜視図である。
【図６】（ａ）本体枠に取り付けられる取付ベース部材、上被係止部及び中被係止部の構成を示す斜視図である。（ｂ）本体枠に取り付けられる取付ベース部材、上被係止部及び中被係止部の構成を示す正面図である。
【図７】図３における水平断面Ａ−Ａにおける本体枠の断面図を示す図である。
【図８】前面枠本体の裏面側から見た斜視図である。
【図９】施錠装置の裏面側から見た斜視図である。
【図１０】（ａ）施錠装置の裏面側から見た斜視図であって、不正防止カバーを取り外した状態を示す図である。（ｂ）施錠装置の裏面側から見た分解斜視図であって、機構部を分解した図である。
【図１１】（ａ）本体枠に対して前面枠を開放した状態における、上係止部が設けられた部分と、中係止部が設けられた部分の側面から見た部分拡大図である。（ｂ）図１１（ａ）のＢ−Ｂ線における取付ベース部材と上被係止部との組み付け状態を示す断面図である。
【図１２】本体枠に対して前面枠が押し込まれた状態における、上係止部が設けられた部分と、中係止部が設けられた部分の側面から見た部分拡大図である。
【図１３】本体枠に対して前面枠を閉止した状態における、上係止部が設けられた部分と、中係止部が設けられた部分の側面から見た部分拡大図である。
【図１４】遊技機の制御系を示すブロック図である。
【図１５】前面枠開閉状態検出処理のフローチャートである。
【図１６】（ａ）前面枠の閉止状態を検出する検出タイミングチャートであり、（ｂ）前面枠の開放状態を検出する検出タイミングチャートである。
【図１７】（ａ）水平方向検出スイッチ及び保護壁の配置構成並びに前面枠による水平方向検出スイッチの構造の変形例を示す図である。（ｂ）垂直方向検出スイッチ及び保護壁の配置構成並びに中係止部による垂直方向検出スイッチの構造の変形例を示す部分拡大図である。
【符号の説明】
【０１１０】
１００    遊技機
３０      遊技制御装置（検出タイミング判定手段、報知制御手段）
４０      演出制御装置（報知制御手段）
１１０    本体枠
１１１    被係止部
１１１ａ  上被係止部
１１１ｂ  下被係止部
１１１ｃ  中被係止部
１１４    水平方向検出スイッチ（水平方向検出手段）
１１５    垂直方向検出スイッチ（垂直方向検出手段）
１１８    取付ベース部材
１２０    前面枠
１４６    エラー報知ＬＥＤ
１４７    前面枠開放状態報知ＬＥＤ
１１６    保護壁
１１７    保護壁
１６０    施錠装置
１７５    シリンダ錠
１８１    上係止部
１８２    下係止部
１８４ｂ  中係止部
【図１】
2009112327.tif 000003
【図２】
2009112327.tif 000004
【図３】
2009112327.tif 000005
【図４】
2009112327.tif 000006
【図５】
2009112327.tif 000007
【図６】
2009112327.tif 000008
【図７】
2009112327.tif 000009
【図８】
2009112327.tif 000010
【図９】
2009112327.tif 000011
【図１０】
2009112327.tif 000012
【図１１】
2009112327.tif 000013
【図１２】
2009112327.tif 000014
【図１３】
2009112327.tif 000015
【図１４】
2009112327.tif 000016
【図１５】
2009112327.tif 000017
【図１６】
2009112327.tif 000018
【図１７】
2009112327.tif 000019